(57)【要約】【課題】配線用遮断器内に付属機器を取り付けてリード線の引出を行う作業を、複数の配線用遮断器が隣接して配置された状態においても、付属機器を取り付ける配線用遮断器に隣接する他の配線用遮断器を取り外すことなく、簡単に行うことができる技術を提供すること。【解決手段】両端に端子部１を備え、該端子部１２間に機構部を搭載したベースを配置した多極式の配線用遮断器であって、前記ベースを被覆するメインカバー２と、メインカバー２の上部を開閉自在に被覆するサブカバー３を備え、前記メインカバー２に、付属装置１０、１１を取り付ける付属装置格納部９を形成するとともに、隣接する極間を区分する位置に対応させてリード線配設用溝部１３、１４を形成し、前記付属装置から引き出されるリード線１２を、前記リード線配設用溝部１３，１４に配線して前記端子部側に設けたリード線出線部１８に導く。【選択図】図３
2015037005.tif 000002
【特許請求の範囲】
【請求項１】
両端に端子部を備え、該端子部間に機構部を搭載したベースを配置した多極式の配線用遮断器であって、
前記ベースを被覆するメインカバーと、メインカバーの上部を開閉自在に被覆するサブカバーを備え、
前記メインカバーに、付属装置を取り付ける付属装置格納部を形成するとともに、隣接する極間を区分する位置に対応させてリード線配設用溝部を形成し、
前記付属装置から引き出されるリード線を、前記リード線配設用溝部に配線して前記端子部側に設けたリード線出線部に導くことを特徴とする配線用遮断器。
【請求項２】
前記リード線出線部を、前記端子部のコーナー部に設けたことを特徴とする請求項１記載の配線用遮断器。
【請求項３】
前記リード線配設用溝部と前記リード線出線部とを非直線状に配置し、該リード線配設用溝部とリード線出線部とを繋ぐ傾斜溝部を設けたことを特徴とする請求項２記載の配線用遮断器。
【請求項４】
前記付属装置格納部とリード線配設用溝部を、各々、複数形成し、各付属装置格納部に取り付けた付属装置から引き出されるリード線を、各々異なるリード線配設用溝部に配線したことを特徴とする請求項１記載の配線用遮断器。
【請求項５】
中央極を被覆するメインカバー部にハンドルを備え、前記複数のリード線配設用溝部の内、前記ハンドルを迂回する位置に配置されたリード線配設用溝部に、前記リード線を導くハンドル迂回用溝部を、ハンドルを挟んで引き外し部とはハンドルの機構部と反対側に形成したことを特徴とする請求項４記載の配線用遮断器。
【発明の詳細な説明】
【技術分野】
【０００１】
本発明は、配線用遮断器に関するものである。
【背景技術】
【０００２】
配線用遮断器には、オプションとして選択できる各種の付属機器（補助スイッチ、警報スイッチ、電圧引外し装置、不足電圧引外し装置など）が用意されている。
【０００３】
配線用遮断器内に付属機器を取り付ける構造として、付属部品のリード線を結束した状態に保持してベース（付属部品の機能部品を組み付けたカセット容器）の側面に沿って引出した後、ベースを被覆するカバーと、このカバーの上面を開閉自在に被覆するトップカバーとの間の隙間を通じて、リード線を、配線用遮断器の本体ケースの左右サイドから側方に引き出した構造が開示されている（特許文献１）。
【０００４】
しかし、分電盤内では、複数の配線用遮断器が隣接して配置されているため、特許文献１のように、リード線を配線用遮断器の本体ケースの左右サイドから側方に引き出す構造とした場合、配線用遮断器を分電盤等に取り付けた状態では、リード線の引出しが困難であり、付属機器を新たに取り付ける場合には、隣接する他の配線用遮断器を取り外す作業が必要となり、付属機器の取り付けに手間がかかるという問題があった。
【先行技術文献】
【特許文献】
【０００５】
【特許文献１】特開２００６−１４０１００号公報
【発明の概要】
【発明が解決しようとする課題】
【０００６】
本発明の目的は前記の問題を解決し、配線用遮断器内に付属機器を取り付けてリード線の引出を行う作業を、複数の配線用遮断器が隣接して配置された状態においても、付属機器を取り付ける配線用遮断器に隣接する他の配線用遮断器を取り外すことなく、簡単に行うことができる技術を提供することである。
【課題を解決するための手段】
【０００７】
上記課題を解決するためになされた本発明の配線用遮断器は、両端に端子部を備え、該端子部間に機構部を搭載したベースを配置した多極式の配線用遮断器であって、前記ベースを被覆するメインカバーと、メインカバーの上部を開閉自在に被覆するサブカバーを備え、前記メインカバーに、付属装置を取り付ける付属装置格納部を形成するとともに、隣接する極間を区分する位置に対応させてリード線配設用溝部を形成し、前記付属装置から引き出されるリード線を、前記リード線配設用溝部に配線して前記端子部側に設けたリード線出線部に導くことを特徴とするものである。
【０００８】
請求項２記載の発明は、請求項１記載の配線用遮断器において、前記リード線出線部を、前記端子部のコーナー部に設けたことを特徴とするものである。
【０００９】
請求項３記載の発明は、請求項２記載の配線用遮断器において、前記リード線配設用溝部と前記リード線出線部とを非直線状に配置し、該リード線配設用溝部とリード線出線部とを繋ぐ傾斜溝部を設けたことを特徴とするものである。
【００１０】
請求項４記載の発明は、請求項１記載の配線用遮断器において、前記付属装置格納部とリード線配設用溝部を、各々、複数形成し、各付属装置格納部に取り付けた付属装置から引き出されるリード線を、各々異なるリード線配設用溝部に配線したことを特徴とするものである。
【００１１】
請求項５記載の発明は、請求項４記載の配線用遮断器において、中央極を被覆するメインカバー部にハンドルを備え、前記複数のリード線配設用溝部の内、前記ハンドルを迂回する位置に配置されたリード線配設用溝部に、前記リード線を導くハンドル迂回用溝部を、ハンドルを挟んで引き外し部とはハンドルの機構部と反対側に形成したことを特徴とするものである。
【発明の効果】
【００１２】
多極式の配線用遮断器のベースを被覆するメインカバーに、付属装置を取り付ける付属装置格納部を形成するとともに、隣接する極間を区分する位置に対応させてリード線配設用溝部を形成し、前記付属装置から引き出されるリード線を、前記リード線配設用溝部に配線して前記端子部側に設けたリード線出線部に導く構成とした本発明によれば、配線用遮断器内に付属機器を取り付けてリード線の引出を行う作業を、複数の配線用遮断器が隣接して配置された状態においても、付属機器を取り付ける配線用遮断器に隣接する他の配線用遮断器を取り外すことなく、簡単に行うことができる。また、隣接する極間を区分する位置に対応させてリード線配設用溝部を形成しているため、従来使用されていなかった空きスペースを利用することができ、内部機器の収納効率を向上させることができる。
【００１３】
請求項２記載の発明のように、前記リード線出線部を、前記端子部のコーナー部に設ける構成とすることにより、主回路の端子部の配線を邪魔することなく、リード線の配線スペースを確保することができる。
【００１４】
請求項３記載の発明は、前記リード線配設用溝部と前記リード線出線部とを非直線状に配置し、該リード線配設用溝部とリード線出線部とを繋ぐ傾斜溝部を設ける構成とすることにより、リード線を引っ張る力が加わった場合であっても、その力が付属装置に到達する前に、傾斜溝部で分散し、付属装置に直接かかる張力を低減することができ、付属装置の信頼性の向上が図られる。
【００１５】
請求項４記載の発明のように、前記付属装置格納部とリード線配設用溝部を、各々、複数形成し、各付属装置格納部に取り付けた付属装置から引き出されるリード線を、各々異なるリード線配設用溝部に配線する構成とすることにより、配線間違えの事故を確実に回避することができる。
【００１６】
請求項５記載の発明のように、中央極を被覆するメインカバー部にハンドルを備え、前記複数のリード線配設用溝部の内、前記ハンドルを迂回する位置に配置されたリード線配設用溝部に、前記リード線を導くハンドル迂回用溝部を、ハンドルを挟んで引き外し部とはハンドルの機構部と反対側に形成する構成とすることにより、部品密度が高いハンドルの機構部を回避して内部空間を有効に使用することができ、部品配置の自由度を高めることができる。
【図面の簡単な説明】
【００１７】
【図１】配線用遮断器の全体斜視図である。
【図２】サブカバーを開放した状態の斜視図である。
【図３】サブカバーを除いた状態の上面図である。
【図４】サブカバーを除いた状態の断面図である。
【図５】サブカバーを除いた状態の断面図である。
【図６】サブカバーを除いた状態の前面図である。
【発明を実施するための形態】
【００１８】
以下に本発明の好ましい実施形態を示す。
【００１９】
図１、図２に示すように、配線用遮断器は、両端に端子部１を備え、中央部分は、ベース上に配置された３極の機構部をメインカバー２で被覆し、メインカバー２の上部を、サブカバー３で開閉自在に被覆した構造を有している。
【００２０】
図３に示すように、メインカバー２は、極ごとに区画されている。本実施形態では、中央極を被覆するメインカバー部４には、ハンドル１５を備え、ハンドル１５及びトリップテストを行うトリップスイッチの窓部５が配置され、中央極に隣接する一方の極を被覆するメインカバー部６には、漏電テストスイッチ及び漏電表示部の窓部７が形成されている。
【００２１】
中央極に隣接する他方の極を被覆するメインカバー部８には、警報スイッチ１０や補助スイッチ１１などの付属装置の本体が、ワンタッチで取り付けられる付属装置格納部９が形成されている。
【００２２】
警報スイッチ１０および補助スイッチ１１からは、各々、３本ずつのリード線１２が引き出されている。これらのメインカバー部４、６、８が一体に形成されてメインカバー２を構成している。
【００２３】
付属装置から引き出されたリード線１２は、図４、図５に示すように、隣接する極間に設けたリード線配設用溝部１３、１４に、３本のリード線を上下に重ねて配線される。
【００２４】
本実施形態では、３極の配線用遮断器を用いているため、図３に示すように、リード線配設用溝部は２本形成されている。このうち、中央極を被覆するメインカバー部４と、付属装置格納部９が形成されたメインカバー部８との間に形成されたリード線配設用溝部１３への配線は、付属装置格納部９から直接行われる。一方、中央極を被覆するメインカバー部４と、漏電テストスイッチ及び漏電表示部の窓部７が形成されメインカバー部６との間に形成されたリード線配設用溝部１４への配線は、ハンドル１５を挟んで引き外し部２０とはハンドルの機構部と反対側に位置する箇所に、付属装置格納部９からリード線配設用溝部１４に向けて配線を横方向に導くハンドル迂回用溝部１６を介して行われる。メインカバー部４が被覆する引き外し部２０はハンドル１５の機構部の付近には、引き外し部もあり、部品密度が高くなっているため、本実施形態では、ハンドル１５を挟んで引き外し部２０とはハンドルの機構部と反対側に位置する箇所にハンドル迂回用溝部１６を形成している。
【００２５】
また、サブカバー３には、図２に示すように、リード線配設用溝部１３、１４に対応した位置に突辺１９が形成されている。突辺１９は、リード線配設用溝部１３、１４に配線したリード線３の移動を規制するとともに、サブカバー３の強度を向上させるリブとしての機能も有している。
【００２６】
図３に示すように、リード線配設用溝部１３、１４に沿って配線されたリード線１２は、端子部間に形成された傾斜溝部１７を経て、端子部１のコーナーに設けたリード線出線部１８から出線される。このように、リード線配設用溝部１３、１４から直接出線せず、端子部間に形成された傾斜溝部１７を経て非直線状に配線して出線する構造とすることにより、リード線１２を引っ張る力が加わった場合であっても、その力が付属装置に到達する前に、傾斜溝部１７で分散し、付属装置に直接かかる張力を低減することができる。また、図６に示すように、端子部１のコーナーに設けたリード線出線部１８から出線する構造とすることにより、端子部１への電線接続を行う際、リード線１２に邪魔されることなく作業を行うことができる。
【符号の説明】
【００２７】
１  端子部
２  メインカバー
３  サブカバー
４  メインカバー部
５  窓部
６  メインカバー部
７  窓部
８  メインカバー部
９  付属装置格納部
１０  警報スイッチ
１１  補助スイッチ
１２  リード線
１３、１４  リード線配設用溝部
１５  ハンドル
１６  ハンドル迂回用溝部
１７  傾斜溝部
１８  リード線出線部
１９  突辺
２０  引き外し部
【図１】
2015037005.tif 000003
【図２】
2015037005.tif 000004
【図３】
2015037005.tif 000005
【図４】
2015037005.tif 000006
【図５】
2015037005.tif 000007
【図６】
2015037005.tif 000008